(57)【特許請求の範囲】
【請求項１】
任意のカラオケ端末装置と、当該カラオケ端末装置にてログインする利用者の利用者ＩＤを取得する機能を備えた選曲予約装置とがローカル通信を行うとともに、任意のカラオケ端末装置と、当該カラオケ端末装置にてログインされた利用者の利用者ＩＤを管理するカラオケホスト装置とがネットワーク通信を行うカラオケ装置において、
前記選曲予約装置は、前記ローカル通信を行う所定のカラオケ端末装置を介して、自らの利用者ＩＤと相手先の利用者ＩＤを伴った電話開始信号をＩＰ電話データとして前記カラオケホスト装置に送信し、
前記カラオケホスト装置は、前記相手先の利用者ＩＤに基づき、相手先が現在何処のカラオケ端末装置にてログインしているかを探索し、当該相手先の利用者ＩＤがログインされている場合には、前記ＩＰ電話データを当該ログインしているカラオケ端末装置に送信し、さらに、当該カラオケ端末装置から、前記自らの利用者ＩＤに対する電話開始信号が含まれたＩＰ電話データを受信した場合には、前記自らの利用者ＩＤがログインしているカラオケ端末装置に送信し、
前記カラオケ端末装置は、ＩＰ電話データを受信した場合には、当該ＩＰ電話データをローカル通信を行う選曲予約装置に送信して電話通信を開始することにより、
異なる場所に存在するカラオケ端末装置の選曲予約装置同士で電話通信が可能に構成されたことを特徴とするＩＰ電話付きカラオケ装置。
【発明の詳細な説明】
【技術分野】
【０００１】
本発明はＩＰ電話付きカラオケ装置に関するものであり、特に、ネットワーク通信によりカラオケ端末装置とカラオケホスト装置との通信を行うとともに、ローカル通信によりカラオケ端末装置と選曲予約装置との通信を行い、選曲予約装置からの利用者ＩＤを伴った利用者情報をカラオケホスト装置に送信して当該利用者ＩＤの利用者情報を更新するようにしたＩＰ電話付きカラオケ装置に関するものである。
【背景技術】
【０００２】
近年、電話の音声をインターネットプロトコルに基づいてパケット化し、ネットワーク通信で転送するＩＰ電話が普及し始めている。ＩＰ電話には、パソコンにヘッドセットを取り付けてパソコン同士若しくはパソコンと電話機とで通信を行うものと、ＡＤＳＬ等のブロードバンドサービスを利用して電話機同士で通信を行うものとがある。ＩＰ電話は通常の電話回線のように市内通話と市外通話といった区別がなく、通話先との距離に関わらず全国一律料金で通話でき、ＩＰ電話同士なら条件次第では通話料金が無料となる。
【０００３】
また、インターネットラジオ受信機にＩＰ電話機能を具備させてＩＰ電話機能付きコンテンツ再生装置が知られている（例えば特許文献１参照）。この装置は、ラジオモードのときは、ＬＡＮコントローラを介して入力されるラジオ用パケット信号の中から放送データをＤＳＰにデコードさせ、デコード後のＰＣＭデータをＤ／Ａ変換してスピーカからインターネットラジオ放送の音声を出力する。一方、電話モードのときは、ＬＡＮコントローラを介して入力される電話用パケット信号の中から受話データをＤＳＰにデコードさせ、デコード後のＰＣＭデータをＰＣＭコーデックに入力して受話信号（音声信号）に変換するとともに、送話信号（音声信号）をＰＣＭコーデックにてＰＣＭデータ（送話データ）に変換し、この送話データをＤＳＰにエンコードさせてパケット信号に成形し、ＬＡＮコントローラを介して出力する。
【特許文献１】特開２００４−１６５９９７号公報
【発明の開示】
【発明が解決しようとする課題】
【０００４】
ＩＰ電話は通話料金が安価であるため、急激に利用希望者が増加している。しかし、ブロードバンドサービスを受けるためにはインターネットプロバイダに加入しなければならず、パソコンや電話機の設定も面倒であるため、気軽にＩＰ電話を利用することが困難である。
【０００５】
特許文献１記載のＩＰ電話機能付きコンテンツ再生装置は、コンテンツの利用者がラジオ放送の聴取と電話の双方を利用することができる。しかし、この装置もインターネットに接続するためにＡＤＳＬ等のブロードバンドを利用する必要がある。
【０００６】
このほか、ネットワーク通信によるコンテンツサービスとしてはカラオケ装置が知られている。所謂カラオケボックスと称される店舗に設置されているカラオケ装置は、利用者がリモコン装置により所望の曲目を選曲して予約すると、カラオケ端末装置に記憶されている該当曲の伴奏音楽データと歌詞画像のデータ等のカラオケデータを再生し、カラオケ端末装置に該当曲のカラオケデータが記憶されていないときは、ネットワーク通信によりホストコンピュータから該当曲のカラオケデータをダウンロードしてカラオケ端末装置にて再生するものである。
【０００７】
カラオケ装置は、利用者がネットワーク通信を意識することなく、気軽にコンテンツを楽しむことができるため、全国各所に多数のカラオケ店舗が存在している。従って、このカラオケ装置を利用して電話をかけることができれば、極めて至便である。
【０００８】
そこで、カラオケ装置の利用者が簡単にＩＰ電話を利用できるようにするために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、任意のカラオケ端末装置と、当該カラオケ端末装置にてログインする利用者の利用者ＩＤを取得する機能を備えた選曲予約装置とがローカル通信を行うとともに、任意のカラオケ端末装置と、当該カラオケ端末装置にてログインされた利用者の利用者ＩＤを管理するカラオケホスト装置とがネットワーク通信を行うカラオケ装置において、
前記選曲予約装置は、前記ローカル通信を行う所定のカラオケ端末装置を介して、自らの利用者ＩＤと相手先の利用者ＩＤを伴った電話開始信号をＩＰ電話データとして前記カラオケホスト装置に送信し、
前記カラオケホスト装置は、前記相手先の利用者ＩＤに基づき、相手先が現在何処のカラオケ端末装置にてログインしているかを探索し、当該相手先の利用者ＩＤがログインされている場合には、前記ＩＰ電話データを当該ログインしているカラオケ端末装置に送信し、さらに、当該カラオケ端末装置から、前記自らの利用者ＩＤに対する電話開始信号が含まれたＩＰ電話データを受信した場合には、前記自らの利用者ＩＤがログインしているカラオケ端末装置に送信し、
前記カラオケ端末装置は、ＩＰ電話データを受信した場合には、当該ＩＰ電話データをローカル通信を行う選曲予約装置に送信して電話通信を開始することにより、
異なる場所に存在するカラオケ端末装置の選曲予約装置同士で電話通信が可能に構成されたＩＰ電話付きカラオケ装置を提供する。
【００１０】
この構成によれば、利用者が選曲予約装置で電話操作を行うと、ローカル通信によりカラオケ端末装置へＩＰ電話データが送られる。このＩＰ電話データはネットワーク通信によりカラオケホスト装置を介して他のカラオケ端末装置へ転送される。そして、当該カラオケ端末装置はカラオケホスト装置を介して相手先である他のカラオケ端末装置からのＩＰ電話データを受信し、受信したＩＰ電話データはローカル通信により前記選曲予約装置に送られる。斯くして、異なる場所に存在するカラオケ端末装置の選曲予約装置同士で電話通信が行われる。
【発明の効果】
【００２３】
本発明は、利用者が選曲予約装置で電話操作を行うとカラオケ端末装置へＩＰ電話データが送られ、ネットワーク通信によりカラオケホスト装置を介して他のカラオケ端末装置の選曲予約装置と電話通信が行われるので、カラオケ装置の利用者は気軽にＩＰ電話で通話することができる。全国各所に多数のカラオケ店舗が存在しているため、利用者及び電話する相手が全国何処かのカラオケ店舗にいれば、簡単にＩＰ電話を利用することができ、従来のように、インターネットプロバイダに加入する手間やパソコンや電話機の設定も不要で、安価な費用でＩＰ電話通信を行うことが可能となる。
【発明を実施するための最良の形態】
【００２４】
以下、本発明に係るカラオケ装置について、好適な実施例をあげて説明する。カラオケ装置の利用者が簡単にＩＰ電話を利用できるようにするという目的を、選曲予約装置はＩＰ電話機能を備え、選曲予約装置と前記カラオケ端末装置との間でＩＰ電話データを通信し、カラオケ端末装置はカラオケホスト装置を介して他のカラオケ端末装置へＩＰ電話データを転送するとともに前記カラオケホスト装置を介して他のカラオケ端末装置からのＩＰ電話データを受信し、異なる場所に存在するカラオケ端末装置の選曲予約装置同士で電話通信が可能に構成することにより実現した。
【実施例１】
【００２５】
図１はカラオケ装置のネットワーク構成図であり、カラオケ店舗１００内には各部屋にカラオケ端末装置１０が設置されており、夫々のカラオケ端末装置１０をルータ１１０に接続して店舗内ＬＡＮ１２０が構築されている。この店舗内ＬＡＮ１２０はＶＰＮ（Virtual Private Network）等のネットワーク通信１３０によりカラオケホスト装置１４０に接続されるとともに、電子マネー決済用ホストサーバ１５０に接続される。
【００２６】
前記カラオケ端末装置１０には選曲予約装置５０が付帯しており、利用者は該選曲予約装置５０により所望の楽曲を選択してカラオケ端末装置１０へ演奏予約信号を送信し、カラオケ端末装置１０に記憶されている該当曲の伴奏音楽データと歌詞画像のデータ等のカラオケデータが再生される。もし、カラオケ端末装置１０に該当曲のカラオケデータが記憶されていないときは、ネットワーク通信１３０を介した通信によりカラオケホスト装置１４０から該当曲のカラオケデータをダウンロードしてカラオケ端末装置１０にて再生する。
【００２７】
前記選曲予約装置５０は、ワイヤレスリモコンである選曲予約装置本体５１と、この選曲予約装置本体５１の受台であるクレードル５２とからなり、前記選曲予約装置本体５１には通常の電子目次本（所謂デンモク）の他にＩＰ電話機能が具備されている。また、クレードル５２には充電機能や通信機能の他にＩＣカードのリード機能が具備されている。
【００２８】
前記選曲予約装置５０と前記カラオケ端末装置１０は、クレードル５２を経由してのＬＡＮ、或いは、無線ＬＡＮやブルートゥース等、任意のローカル通信によってＩＰ電話データを通信し、カラオケ端末装置１０はネットワーク通信１３０によりカラオケホスト装置１４０を介して他のカラオケ端末装置（図示せず）とＩＰ電話データを通信する。従って、異なる場所に存在するカラオケ端末装置同士で電話通信ができるように構成されている。
【００２９】
前記選曲予約装置本体５１をクレードル５２に装着した状態で、利用者ＩＤとプリペイド金額が記録されているＩＣカードを前記選曲予約装置５０に読み込ませれば、ＩＣカードから取得した利用者ＩＤとプリペイド金額等の利用者情報がローカル通信によりカラオケ端末装置１０へ送信され、この利用者情報がネットワーク通信１３０によりカラオケホスト装置１４０へ転送される。
【００３０】
また、当該利用者がＩＰ電話機能をはじめとする有料コンテンツを利用したときは、カラオケホスト装置１４０は当該利用者に対して所定金額を課金し、この課金情報がネットワーク通信１３０により電子マネー決済用ホストサーバ１５０と当該利用者が利用しているカラオケ端末装置１０へ送られる。電子マネー決済用ホストサーバ１５０は、この課金情報に基づいて当該利用者のデータベースに記憶されているプリペイド金額から所定金額を引き落として決済し、この決済結果をネットワーク通信１３０によりカラオケホスト装置１４０へ送信する。カラオケホスト装置１４０はこの決済情報を受け取ると、支払金額管理手段の返金情報テーブルを参照して、当該利用者のプリペイド残額情報をネットワーク通信１３０により当該利用者が利用しているカラオケ端末装置１０へ送信する。
【００３１】
図２はカラオケ端末装置１０と選曲予約装置５０とその他の周辺機器のブロック図であり、カラオケ装置１０は、内部にＣＰＵ、ＲＡＭ、ＲＯＭ等を含む中央制御部１１を有し、ＬＡＮインターフェース１２をルータ１１０に接続して店舗内ＬＡＮ１２０が構築されている。当該カラオケ端末装置１０はネットワーク通信１３０に接続することにより、前記カラオケホスト装置１４０から配信されるカラオケデータを受け取り、受け取ったカラオケデータをハードディスク装置１３に格納する。
【００３２】
前記カラオケデータは、カラオケ楽曲の伴奏音楽を生成するための楽曲データと、後述するモニタ２２に出力される歌詞画像を生成するための歌詞描出データとを含んでいる。楽曲データはＭＩＤＩ規格等によって符号化された音源制御情報であり、歌詞描出データはコード化された歌詞文字群や歌唱時期指示等の情報を含んでいる。
【００３３】
利用者が所望するカラオケ楽曲は、選曲予約装置５０の選曲予約装置本体５１に備えられている電子目次機能により、特定の楽曲番号、或いは、楽曲名や歌手名または歌詞の一部等を入力することにより選曲情報が得られる。この選曲情報を選曲予約装置本体５１から赤外線信号等のローカル通信にて送信すると、カラオケ端末装置１０に備えられているリモコン用の受信部１４にて受信され、受信された選曲情報は操作制御部１５を介して前記中央制御部１１に送られる。或いは、カラオケ端末装置１０本体に設けられている操作パネル１６にて直接楽曲番号を入力することにより、操作パネル１６から操作制御部１５を介して前記中央制御部１１に選曲情報が送られる。
【００３４】
中央制御部１１は操作制御部１６から選曲情報を受け取ると、該当するカラオケデータを前記ハードディスク装置１３から読み出す。選曲情報に該当するカラオケデータがハードディスク装置１３に存在しないときは、前述したＬＡＮインターフェース１２及びルータ１１０を介して通信ネットワーク１３０と接続し、前記カラオケホスト装置１４０から該当するカラオケデータをダウンロードしてハードディスク装置１３に格納する。
【００３５】
そして、中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。中央制御部１１はこの伴奏音楽の生成に同期させて歌詞描出データを処理し、歌詞文字群を順次ビデオＲＡＭ２０にビットマップ展開させる。また、利用者が歌唱する音声はマイク２１に集音され、前記ミキシングアンプ１８で伴奏音楽とミキシングされてスピーカ１９から再生される。
【００３６】
更に、中央制御部１１はＤＶＤチェンジャ２２を制御し、ＤＶＤ（図示せず）に収録されている背景映像を再生する。そして、中央制御部１１は映像制御部２３を制御して前記背景映像に前記歌詞文字群をスーパーインポーズし、背景映像と歌詞文字群を前述したモニタ２４の画面に表示させる。
【００３７】
ここで、選曲予約装置５０の選曲予約装置本体５１には曲目検索のための電子目次機能のほかに、歌唱検定機能やＩＰ電話機能等の有料コンテンツを利用する際の各種操作機能を備えており、クレードル５２は選曲予約装置本体５１を充電する際の受台であるとともに、ＩＣカードのリード機能を具備している。そして、前記各種の有料コンテンツを利用する際は選曲予約装置本体５１をクレードル５２に装着し、ＬＡＮ或いは無線ＬＡＮやブルートゥース等任意のローカル通信によって、カラオケ端末装置１０に備えられている通信インターフェース２５を介して双方向通信するように構成されている。
【００３８】
また、プリンタ１６０は、カラオケ端末装置１０に備えられているＵＳＢインターフェース２６に接続され、ネットワーク通信１３０によって送られてきた歌唱検定の認定書や採点結果等のプリントを行う。
【００３９】
図３乃至図６は選曲予約装置５０の選曲予約装置本体５１とクレードル５２の外観図であり、選曲予約装置本体５１はその中央部にカラー液晶ディスプレイとタッチセンサとを積層したタッチスクリーン５３が設けられ、その左右両側にスピーカ５４が配置されている。タッチスクリーン５３の上部にはデジタルカメラ５５が設けられ、利用者が選曲予約装置本体５１を両手で把持して顔の正面に対峙させながらシャッターボタン５７を押下すれば、該デジタルカメラ５５にて利用者の顔が撮影されてフラッシュメモリ等の内蔵メモリに画像データとして記憶される。また、選曲予約装置本体５１の図中上端中央部には赤外線リモコンの発信部５７が設けられ、利用者が所望する楽曲の選曲情報を赤外線信号にてカラオケ端末装置１０の受信部１４へ送信する。尚、該選曲予約装置本体５１の上部に補助ライト（図示せず）を装着可能となっており、前述したデジタルカメラ５５により利用者の顔を撮影する際に、この補助ライトを点灯すれば撮影に必要な所定の明るさを確保することができる。
【００４０】
一方、クレードル５２はその上面中央部に選曲予約装置本体の装着部５８が設けられ、この装着部５８に選曲予約装置本体５１の下部を差し込むことにより、図示は省略するが、選曲予約装置本体５１の下部に設けられている電源入力端子と通信端子とが、クレードル５２の装着部５８内に設けられている電源出力端子と通信端子とに接続される。該クレードル５２はカラオケ端末装置１０にＬＡＮ接続されており、カラオケ端末装置１０を介して選曲予約装置本体５１とカラオケホスト装置１４０との間で利用者情報や各種有料コンテンツの情報等を双方向通信する。
【００４１】
また、該クレードル５２の正面中央部にＩＣカードリーダー５９が設けられている。カラオケ事業者は利用者からの要望に基づいて、利用者ＩＤが記録されているＩＣカード６０を交付し、利用者は予め特定の入金機により自分のＩＣカード６０に任意の金額を入金（チャージ）すると、そのときの入金金額とその時点でのプリペイド金額（残額）がＩＣカード６０に記録される。本発明では非接触型のＩＣカード６０を使用するため、ＩＣカード６０をスロットルに挿入する必要がなく、選曲予約装置本体５１をクレードル５２に装着した状態で、利用者が自分のＩＣカード６０をＩＣカードリーダー５９へ脱落しないように載置すれば、選曲予約装置本体５１に内蔵されている制御部の制御により、利用者ＩＤとプリペイド金額が記録されているＩＣカード６０から利用者情報を取得する。
【００４２】
該クレードル５２の正面一側部に映像切換ボタン６１が設けられ、選曲予約装置本体５１をクレードル５２に装着した状態で映像切換ボタン６１を押下すれば、前記カラオケ端末装置１０側のモニタ２４に表示される背景映像と歌詞文字群等が選曲予約装置本体５１のタッチスクリーン５３に表示されるように構成されている。即ち、選曲予約装置本体５１をカラオケ映像のモニタとしても使用することが可能である。そして、映像切換ボタン６１を再度押下することにより、選曲予約装置本体５１のタッチスクリーン５３は通常の初期画面を表示する。
【００４３】
更に、クレードル５２の正面他側部に電話機６２が設けられている。この電話機６２は、異なる場所に存在するカラオケ端末装置１０の利用者同士が、カラオケホスト装置１４０を介してネットワーク通信１３０で電話通信を行うためのものである。尚、図示は省略するが、選曲予約装置本体５１に電話機を設けてもよい。このように、選曲予約装置５０にＩＰ電話機能を具備させることにより、カラオケ装置の利用者は気軽にＩＰ電話で通話することができる。
【００４４】
図７は選曲予約装置本体５１のタッチスクリーン５３が通常の初期画面（トップ画面）を表示している状態を示し、画面中央に「メンバーズゲート」ボタン７０があり、その周囲に「デンモク」ボタン７１、「カメラ撮影会」ボタン７２、「歌唱検定」ボタン７３、「ＩＰ電話」ボタン７４が配置されている。また、前記「メンバーズゲート」ボタン７０の下方位置に「最新情報」ボタン７５、「遊ぼう」ボタン７６が配置され、その左右位置に「印刷」ボタン７７、「残高照会」ボタン７８が配置されている。
【００４５】
利用者が「メンバーズゲート」ボタン７０にタッチすると、「メンバーズゲート」ボタン７０の明るさが他のボタンよりも明るくなって、当該ボタンが選択されたことを明確に表示する。そして、図８に示すように、タッチスクリーン５３には利用者のＩＣカードをセットするようにメッセージが表示される。このメッセージに従って、図６に示したように、利用者が自分のＩＣカード６０をＩＣカードリーダー５９へ脱落しないように載置すれば、選曲予約装置本体５１に内蔵されている制御部の制御により、利用者ＩＤとプリペイド金額が記録されているＩＣカード６０から利用者情報を取得する。
【００４６】
この利用者情報は選曲予約装置５０（選曲予約装置本体５１とクレードル５２）からカラオケ端末装置１０へ送信され、更に、ネットワーク通信１３０によりカラオケホスト装置１４０へ転送される。そして、この利用者ＩＤに基づいてカラオケホスト装置１４０のデータベースから当該利用者のマイリストやランキング履歴、或いは、撮影済みの顔写真の画像データ等の利用者情報が抽出され、この利用者情報がカラオケ端末装置１０へ転送される。斯くして、図９に示すように、前記選曲予約装置本体５１のタッチスクリーン５３に、例えば「△さんがログインしました」等のメッセージ７９とともに、１番目のマスに当該利用者の顔写真８０が表示される。
【００４７】
同様にして、カラオケボックスに同室している複数の利用者が、夫々各自の利用者ＩＤが登録されているＩＣカード６０を選曲予約装置５０のＩＣカードリーダー５９へセットしてログインすれば、図１０に示すように、タッチスクリーン５３に各自の顔写真８０，８１，８２が表示されてログイン中であることを告知する。更に、任意の利用者の顔写真が表示されているマス、例えば写真８０をタッチすれば、図１１に示すように、当該利用者の名前（またはニックネーム）８４とともに顔写真８０が表示され、当該利用者のマイリストやランキング履歴等の利用者情報が表示される。従って、利用者はマイリストから自分の得意としている曲目を選択することができる。或いは、過去の履歴を参照して、新たな楽曲を選択すべく、図７に示した初期画面から「デンモク」ボタン７１にタッチして、電子目次本に記録されている任意の曲目を選択することもできる。
【００４８】
ここで、前記選曲予約装置５０に具備されているＩＰ電話機能を利用する場合は、図７に示した初期画面から「ＩＰ電話」ボタン７４にタッチすると、「ＩＰ電話」ボタン７４の明るさが他のボタンよりも明るくなって、当該ボタンが選択されたことを明確に表示する。この時点で、利用者がログインしていなければ、図１２に示すように、タッチスクリーン５３には利用者のＩＣカードをセットするようにメッセージが表示され、前述した手順と同様にして、当該利用者のログインを実行する。そして、当該利用者のログインが完了した後は、図１３に示すように、タッチスクリーン５３にはＩＰ電話のメニュー画面が表示される。もし、図７に示した初期画面に於いて、利用者がすでにログインしていれば、「ＩＰ電話」ボタン７４にタッチすれば、図１３に示すＩＰ電話のメニュー画面が表示される。
【００４９】
図１３は選曲予約装置本体５１のタッチスクリーン５３がＩＰ電話の初期メニューを表示している状態を示し、画面中央に「電話帳を開く」ボタン８６があり、その周囲に「電話帳登録」ボタン８７、「電話帳修正」ボタン８８、「電話をかける」ボタン８９、「履歴表示」ボタン９０が配置されている。これらのほかにも、必要に応じて操作ボタンを適宜数配置する。
【００５０】
当該利用者が電話をかけたい相手先ＩＤを覚えているときは、前記クレードル５２に設けられている電話機６２を把持して通話開始の体勢を整えながら、図１３に示すＩＰ電話の初期メニュー画面に於いて「電話をかける」ボタン８９にタッチすると、図１４に示すように、タッチスクリーン５３には電話機のプッシュボタン９１が表示される。当該利用者は、相手先ＩＤに応じてタッチスクリーン５３に表示された電話機のプッシュボタン９１を順次タッチしていくことにより、特定の相手先ＩＤへ電話開始信号入力が行われる。或いは、前記電話機６２にプッシュボタンを設けておき、電話機６２のプッシュボタンによって特定の相手先ＩＤを入力してもよい。
【００５１】
これに対して、当該利用者が電話をかけたい相手先ＩＤを自分の利用者情報に設けられている電話帳に記録してある場合は、図１３に示しているＩＰ電話の初期メニュー画面に於いて、「電話帳を開く」ボタン８６をタッチすると、図１５に示すように、タッチスクリーン５３には当該利用者がすでに登録した相手先ＩＤの一覧即ち電話帳９２が表示される。この電話帳９２の中から、当該利用者が電話をかけたい相手先の名前または番号（ＩＤ）の表示箇所にタッチして特定の相手先ＩＤを選択することにより、特定の相手先ＩＤへ電話開始信号入力が行われる。尚、相手先ＩＤの一覧を表示する電話帳は図１５に示す表形式に限定されず、例えば、図１０に示したように、顔写真のアイコンを表示しておき、当該利用者が電話をかけたい相手先のアイコンにタッチしたときに、特定の相手先ＩＤへ電話開始信号入力が行われるようにしてもよい。
【００５２】
上記何れかの方法で電話開始信号入力が行われると、選曲予約装置５０の図１及び図２に示したように、利用者ＩＤと特定の相手先ＩＤとを伴った電話開始信号がＩＰ電話データとしてカラオケ端末装置１０へ送信され、カラオケ端末装置１０はこの電話開始信号が含まれているＩＰ電話データをネットワーク通信１３０によりカラオケホスト装置１４０へ転送する。
【００５３】
カラオケホスト装置１４０は、このＩＰ電話データに含まれる相手先ＩＤが現在何処のカラオケ端末装置にログインしているかを探索し、相手先ＩＤが存在しているカラオケ端末装置へこのＩＰ電話データを送信する。そして、相手先ＩＤが存在しているカラオケ端末装置から当該利用者ＩＤに対する電話開始信号が含まれたＩＰ電話データをカラオケホスト装置１４０が受信したときは、このＩＰ電話データを当該利用者ＩＤがログインしている前記カラオケ端末装置１０へ転送する。カラオケホスト装置１４０から当該利用者ＩＤに対するＩＰ電話データを前記カラオケ端末装置１０が受信したときは、このＩＰ電話データを前記選曲予約装置５０へ送信する。
【００５４】
このように、異なる場所に存在するカラオケ端末装置１０の選曲予約装置５０同士で電話開始信号が取り交わされて電話通信が開始されると、図１６に示すように、相手先の名前と番号（ＩＤ）等９３を表示し、必要に応じて相手先の顔写真９４を表示する。然る後に、前記電話機６２により利用者が音声による通話を行い、或いは、選曲予約装置５０に設けられているデジタルカメラ５５により利用者の画像を撮影すれば、入力された音声や画像等の電話通信信号が含まれたＩＰ電話データがカラオケ端末装置１０へ送信され、カラオケ端末装置１０は当該利用者ＩＤと相手先ＩＤとを伴ったこのＩＰ電話データをネットワーク通信１３０によりカラオケホスト装置１４０へ転送する。カラオケホスト装置１４０は相手先ＩＤが存在しているカラオケ端末装置へこのＩＰ電話データを送信する。
【００５５】
また、相手先ＩＤが存在しているカラオケ端末装置から、当該利用者ＩＤに対する音声や画像等の電話通信信号が含まれたＩＰ電話データが、ネットワーク通信１３０によりカラオケホスト装置１４０へ送信されると、カラオケホスト装置１４０は当該利用者ＩＤが存在している前記カラオケ端末装置１０へこのＩＰ電話データを送信する。そして、前記カラオケ端末装置１０がこのＩＰ電話データを選曲予約装置５０へ転送すれば、相手先の音声が電話機６２から再生され、或いは、相手先の画像が選曲予約装置本体５１のタッチスクリーン５３に表示される。また、当該利用者ＩＤに対する相手先の音声をカラオケ端末装置１０のスピーカ１９から再生し、相手先の画像をモニタ２４に表示させるように形成してもよい。
【００５６】
斯くして、異なる場所に存在するカラオケ端末装置１０の選曲予約装置５０同士で電話通信信号が取り交わされて電話通信が継続的に行われる。電話通信開始されると、カラオケホスト装置１４０は当該利用者に対してＩＰ電話利用料としての所定金額を課金し、この課金情報がネットワーク通信１３０により電子マネー決済用ホストサーバ１５０と当該利用者が利用しているカラオケ端末装置１０へ送られる。電子マネー決済用ホストサーバ１５０は、この課金情報に基づいて当該利用者のデータベースに記憶されているプリペイド金額から所定金額を引き落として決済し、この決済結果をネットワーク通信１３０によりカラオケホスト装置１４０へ送信する。カラオケホスト装置１４０はこの決済情報を受け取ると、支払金額管理手段の返金情報テーブルを参照して、当該利用者のプリペイド残額情報をネットワーク通信１３０により当該利用者が利用しているカラオケ端末装置１０へ送信する。
【００５７】
前記カラオケ端末装置１０は、カラオケホスト装置１４０から当該利用者に対する課金情報とプリペイド残額情報を受信したときは、カラオケ端末装置１０のモニタ２４に当該利用者に対する課金情報とプリペイド残額情報を表示する。或いは、前記選曲予約装置５０の選曲予約装置本体５１のタッチスクリーン５３に当該利用者に対する課金情報とプリペイド残額情報を表示してもよい。
【００５８】
そして、当該利用者と相手先との電話通信を終了する場合は、電話機６２或いは選曲予約装置本体５１に設けられている電話終了ボタン（図示せず）をタッチすることにより、利用者ＩＤと特定の相手先ＩＤとを伴った電話終了信号が選曲予約装置５０からカラオケ端末装置１０へ送信され、カラオケ端末装置１０はこの電話終了信号が含まれているＩＰ電話データをネットワーク通信１３０によりカラオケホスト装置１４０へ転送する。カラオケホスト装置１４０は相手先ＩＤが存在しているカラオケ端末装置へこのＩＰ電話データを送信するとともに、当該利用者ＩＤの存在しているカラオケ端末装置１０の選曲予約装置５０と相手先ＩＤの存在しているカラオケ端末装置１０の選曲予約装置５０との電話通信を終了する。当該利用者と相手先との電話通信が終了すると、前記選曲予約装置５０の選曲予約装置本体５１のタッチスクリーン５３は、再び、図１３に示すＩＰ電話の初期メニューを表示する。
【００５９】
当該利用者が、電話帳に新たな相手先ＩＤを登録する場合は、図１３に示すＩＰ電話の初期メニュー画面に於いて、「電話帳登録」ボタン８７をタッチすると、図１７に示すように、選曲予約装置本体５１のタッチスクリーン５３に文字入力パレット９５が表示される。当該利用者がこの文字入力パレット９５を使用して新たな相手先の名前やニックネーム並びに相手先の番号（ＩＤ）を文字入力すれば、新たなデータが電話帳に登録された後は、選曲予約装置本体５１のタッチスクリーン５３は、再び、図１３に示すＩＰ電話の初期メニューを表示する。
【００６０】
当該利用者が、電話帳に登録されている内容を修正したい場合は、図１３に示すＩＰ電話の初期メニュー画面に於いて、「電話帳修正」ボタン８８をタッチすると、図１５に示すように、選曲予約装置本体５１のタッチスクリーン５３に電話帳９２が表示され、当該利用者が修正したい相手先の名前または番号（ＩＤ）の表示箇所にタッチして特定の相手先ＩＤを選択することにより、特定の相手先ＩＤの電話帳データの修正が可能となる。この電話帳修正に際しても、図１７に示した文字入力パレット９５を使用することができる。電話帳修正が完了して、新たなデータが電話帳に登録された後は、選曲予約装置本体５１のタッチスクリーン５３は、再び、図１３に示すＩＰ電話の初期メニューを表示する。
【００６１】
当該利用者が、ＩＰ電話通信の履歴や課金の履歴を確認したい場合は、図１３に示すＩＰ電話の初期メニュー画面に於いて、「履歴表示」ボタン９０をタッチすると、図１８に示すように、選曲予約装置本体５１のタッチスクリーン５３に電話履歴表９６が表示され、当該利用者がＩＰ電話を利用した年月日と、相手先の名前や番号、課金データ等の履歴を確認することができる。この履歴確認が終了すれば、選曲予約装置本体５１のタッチスクリーン５３は、再び、図１３に示すＩＰ電話のメニューを表示する。
【００６２】
而して、当該利用者がＩＰを利用して新たに画像データを記憶したり、電話帳の修正や新規登録を行って電話帳のデータが更新されたときは、これらの更新されたデータを含む利用者情報を選曲予約装置５０からカラオケ端末装置１０へ送信し、カラオケ端末装置１０はネットワーク通信１３０によりカラオケホスト装置１４０へ当該利用者の新たな利用者情報を送信する。この新たな利用者情報はカラオケホスト装置１４０に記憶される。
【００６３】
当該利用者が選曲予約装置５０から自分のＩＣカードを取り外し、選曲予約装置５０のログオフボタン（図示せず）にタッチすれば、カラオケ端末装置１０及び選曲予約装置５０に一時的に記憶されていた当該利用者の個人的な情報が消去されるため、他の利用者に個人情報が漏洩する虞はない。
【００６４】
尚、本発明は、本発明の精神を逸脱しない限り種々の改変を為すことができ、そして、本発明が該改変されたものに及ぶことは当然である。
【図面の簡単な説明】
【００６５】
図は本発明の一実施の形態を示すものである。
【図１】カラオケ装置のネットワーク構成図。
【図２】カラオケ端末装置と選曲予約装置とその他の周辺機器のブロック図。
【図３】選曲予約装置の選曲予約装置本体を示し、（ａ）正面図、（ｂ）側面図。
【図４】選曲予約装置のクレードルを示し、（ａ）正面図、（ｂ）側面図。
【図５】選曲予約装置の選曲予約装置本体をクレードルに装着した状態を示し、（ａ）正面図、（ｂ）側面図。
【図６】図５に示した状態でＩＣカードリーダーにＩＣカードを装着する手順を説明する正面図。
【図７】初期画面を表示した選曲予約装置本体のタッチスクリーンの正面図。
【図８】メンバーズゲート利用時にＩＣカードをセットするメッセージを表示した選曲予約装置本体のタッチスクリーンの正面図。
【図９】当該利用者のログインを表示した選曲予約装置本体のタッチスクリーンの正面図。
【図１０】ログイン中の利用者の顔写真を表示した選曲予約装置本体のタッチスクリーンの正面図。
【図１１】ログイン中の利用者の利用者情報を表示した選曲予約装置本体のタッチスクリーンの正面図。
【図１２】ＩＰ電話利用時にＩＣカードをセットするメッセージを表示した選曲予約装置本体のタッチスクリーンの正面図。
【図１３】ＩＰ電話の初期メニューを表示した選曲予約装置本体のタッチスクリーンの正面図。
【図１４】電話機のプッシュボタンを表示した選曲予約装置本体のタッチスクリーンの正面図。
【図１５】相手先ＩＤの電話帳を表示した選曲予約装置本体のタッチスクリーンの正面図。
【図１６】相手先ＩＤへ電話中であることを表示した選曲予約装置本体のタッチスクリーンの正面図。
【図１７】文字入力パレットを表示した選曲予約装置本体のタッチスクリーンの正面図。
【図１８】電話履歴表を表示した選曲予約装置本体のタッチスクリーンの正面図。
【符号の説明】
【００６６】
１０  カラオケ端末装置
５０  選曲予約装置
５１  選曲予約装置本体
５２  クレードル
５９  ＩＣカードリーダー
６０  ＩＣカード
６２  電話機
１００  カラオケ店舗
１１０  ルータ
１２０  店舗内ＬＡＮ
１３０  ネットワーク通信
１４０  カラオケホスト装置
１５０  電子マネー決済用ホストサーバ
１６０  プリンタ
【図１】
0004489688.tif 000002
【図２】
0004489688.tif 000003
【図３】
0004489688.tif 000004
【図４】
0004489688.tif 000005
【図５】
0004489688.tif 000006
【図６】
0004489688.tif 000007
【図７】
0004489688.tif 000008
【図８】
0004489688.tif 000009
【図９】
0004489688.tif 000010
【図１０】
0004489688.tif 000011
【図１１】
0004489688.tif 000012
【図１２】
0004489688.tif 000013
【図１３】
0004489688.tif 000014
【図１４】
0004489688.tif 000015
【図１５】
0004489688.tif 000016
【図１６】
0004489688.tif 000017
【図１７】
0004489688.tif 000018
【図１８】
0004489688.tif 000019